(57)【要約】【課題】本発明はメガネの手入れメガネケースを開示した。【解決手段】主体を含み、前記主体の前端には前記主体とヒンジより連結されている蓋が設置され、前記主体の中には手入れチャンバが設置され、前記手入れチャンバの中には左右対称の固定機構が設置され、前記手入れチャンバの中には左右対称の下手入れ装置が設置され、本発明は構造が簡単で、操作が便利で、手入れが便利であり、当該設備はメガネを収めるとともにメガネを手入れでき、メガネの手入れの時間を節約し、手入れの効率が高く、メガネの使用寿命を延長でき、そのため当該設備は高い使用価値と普及価値がある。【選択図】図１
2020177209.tif 000002
【特許請求の範囲】
【請求項１】
正面視で、主体を含み、前記主体の前端には前記主体とヒンジより連結されている蓋が設置され、前記主体の中には手入れチャンバが設置され、前記手入れチャンバの中には左右対称の固定機構が設置され、前記手入れチャンバの中には左右対称の下手入れ装置が設置され、ここは左側の前記下手入れ装置を例として詳しく説明し、前記手入れチャンバの頂壁の中にはスライド溝が左右対称的に設置され、ここは左側の前記スライド溝を例として詳しく説明し、前記スライド溝の中には上手入れ装置が設置され、前記手入れチャンバの後壁の中には左右対称の伝動チャンバが設置され、ここは左側の前記伝動チャンバを例として詳しく説明し、前記伝動チャンバの中には伝動装置が設置され、前記手入れチャンバの後壁の中には動力チャンバが設置され、前記動力チャンバの中には動力装置が設置され、前記動力装置は前記動力チャンバの頂壁の中に設置されているモーターを含み、前記動力チャンバの中には前記モーターと動力が伝達できるように連結されている動力軸が設置され、前記動力軸の底端には動傘歯車が設置され、前記動力装置は前記伝動装置により前記上手入れ装置と前記下手入れ装置を連動させて回転させることができ、メガネを手入れすることを特徴とするメガネの手入れメガネケース。
【請求項２】
左側の前記伝動装置は前記伝動チャンバの中に設置されている伝動軸を含み、前記伝動軸の左端には前記伝動チャンバの中で回転できる主動プーリを含み、前記伝動チャンバの右壁の中には中チャンバが設置され、前記伝動軸の右端には前記動力チャンバの中に位置しており、且つ前記動傘歯車と噛み合っている右傘歯車が設置され、前記伝動軸の外壁には前記中チャンバの中に位置している左傘歯車が設置され、前記伝動チャンバの中には延伸軸が設置され、前記延伸軸の右端には右プーリが設置され、前記右プーリと前記主動プーリとの間には第一ベルトが伝動できるように設置され、前記延伸軸の左端には左プーリが設置され、前記スライド溝の中にはスプライン軸が設置され、前記スプライン軸の左端には前記伝動チャンバの中に位置している従動プーリが設置され、前記従動プーリと前記左プーリとの間には第二ベルトが伝動できるように設置され、前記伝動装置は動力を前記上手入れ装置と前記下手入れ装置の中まで伝達することができることを特徴とする請求項１に記載のメガネの手入れメガネケース。
【請求項３】
前記上手入れ装置は前記スライド溝の中に設置されているスライダを含み、前記スライダの上端には水平に回転できる回転ブロックが設置され、前記スライダの中には後チャンバが設置され、前記回転ブロックの底端には前記後チャンバの中に位置しているフェースギヤが設置され、前記後チャンバの中には中空軸が設置され、前記中空軸と前記スプライン軸とはスプラインにより連結され、前記中空軸の外壁には主動傘歯車が設置され、前記後チャンバの中には横軸が設置され、前記回転ブロックと前記横軸とが回転できるように連結され、且つ前記横軸を回って回転でき、前記横軸の後端には前記主動傘歯車と噛み合うことができる後傘歯車が設置され、前記回転ブロックの中には前チャンバが設置され、前記横軸の前端には前記前チャンバの中に位置している前傘歯車が設置され、前記前チャンバの中には手入れ軸が設置され、前記手入れ軸の左端には前記前傘歯車と噛み合っている従動傘歯車が設置され、前記手入れ軸の右端には前記スライド溝の中に位置している手入れローラーが設置され、前記中空軸の外壁にはスパーギヤが設置され、前記後チャンバの中にはスライドできるスライド軸が設置され、前記スライド軸の左端には前記フェースギヤと前記スパーギヤとが噛み合っている伝動歯車が設置され、前記スライド軸と前記後チャンバの左壁との間には第一ばねが弾性を持つように設置され、前記横軸の外壁には前記後チャンバの中に位置しているウォームが設置され、前記後チャンバの中には制御軸が設置され、前記制御軸の頂端にはウォームホイールが設置され、前記制御軸の底端にはカムが設置され、前記スプライン軸の外壁には前記伝動チャンバの中に位置している主動歯車が設置され、前記スライド溝の中にはネジロッドが設置され、前記ネジロッドの左端には前記伝動チャンバの中に位置しており、且つ前記主動歯車と噛み合っている従動歯車が設置され、前記ネジロッドが前記スライダとねじ山より連結され、前記上手入れ装置がメガネのレンズの表を手入れすることができることを特徴とする請求項１に記載のメガネの手入れメガネケース。
【請求項４】
前記下手入れ装置は前記手入れチャンバの中に設置されている芯軸を含み、前記芯軸の前端には手入れ盤が設置され、前記中チャンバの中には外軸が設置され、前記外軸の後端には前記左傘歯車と噛み合っている手入れ傘歯車が設置され、前記外軸と前記芯軸とがスプラインにより連結し、前記外軸と前記芯軸との間には第二ばねが弾性を持つように設置され、前記下手入れ装置はメガネのレンズの裏を手入れすることができることを特徴とする請求項３に記載のメガネの手入れメガネケース。
【請求項５】
前記固定機構は前記手入れチャンバの中に設置されている左右対称の固定コットンを含み、ここは左側を例として詳しく説明し、前記固定コットンと前記手入れチャンバの頂壁との間には第三ばねが弾性を持つように設置され、前記蓋の中には固定チャンバが設置され、前記主体の前端には前記固定チャンバの中に位置している定歯車が設置され、前記固定チャンバの中には固定軸が設置され、前記固定軸の左端には動歯車が設置され、前記固定軸の右端にはリールが設置され、前記リールと前記固定コットンとの間は伝動縄により連結され、前記固定機構はメガネを弾性を持つように固定でき、手入れをする時にメガネが移動しないことを保証することを特徴とする請求項１に記載のメガネの手入れメガネケース。
【発明の詳細な説明】
【技術分野】
【０００１】
本発明は生活用品技術分野を取り上げて、具体的にはメガネの手入れメガネケースである。
【背景技術】
【０００２】
社会で視力が落ちる人はますます多くなり、そのためメガネに対する要求も増え、しかしメガネをよく手入れする必要があり、メガネの使用機能を保ち、メガネの手入れがよく人工的に行われ、操作が複雑で時間も体力もかかり、そのため、本発明は自動的にメガネを手入れできるメガネケースを設計することを目的とする。
【先行技術文献】
【特許文献】
【０００３】
【特許文献１】中国特許出願公開第１０２８７１３２０号明細書
【発明の概要】
【発明が解決しようとする課題】
【０００４】
本発明はメガネの手入れメガネケースを提供し、従来技術における上記欠点を解消することを目的とする。
【課題を解決するための手段】
【０００５】
本発明のメガネの手入れメガネケースは、主体を含み、前記主体の前端には前記主体とヒンジより連結されている蓋が設置され、前記主体の中には手入れチャンバが設置され、前記手入れチャンバの中には左右対称の固定機構が設置され、前記手入れチャンバの中には左右対称の下手入れ装置が設置され、ここは左側の前記下手入れ装置を例として詳しく説明し、前記手入れチャンバの頂壁の中にはスライド溝が左右対称的に設置され、ここは左側の前記スライド溝を例として詳しく説明し、前記スライド溝の中には上手入れ装置が設置され、前記手入れチャンバの後壁の中には左右対称の伝動チャンバが設置され、ここは左側の前記伝動チャンバを例として詳しく説明し、前記伝動チャンバの中には伝動装置が設置され、前記手入れチャンバの後壁の中には動力チャンバが設置され、前記動力チャンバの中には動力装置が設置され、前記動力装置は前記動力チャンバの頂壁の中に設置されているモーターを含み、前記動力チャンバの中には前記モーターと動力が伝達できるように連結されている動力軸が設置され、前記動力軸の底端には動傘歯車が設置され、前記動力装置は前記伝動装置により前記上手入れ装置と前記下手入れ装置を連動させて回転させることができ、メガネを手入れする。
【０００６】
好ましくは、左側の前記伝動装置は前記伝動チャンバの中に設置されている伝動軸を含み、前記伝動軸の左端には前記伝動チャンバの中で回転できる主動プーリを含み、前記伝動チャンバの右壁の中には中チャンバが設置され、前記伝動軸の右端には前記動力チャンバの中に位置しており、且つ前記動傘歯車と噛み合っている右傘歯車が設置され、前記伝動軸の外壁には前記中チャンバの中に位置している左傘歯車が設置され、前記伝動チャンバの中には延伸軸が設置され、前記延伸軸の右端には右プーリが設置され、前記右プーリと前記主動プーリとの間には第一ベルトが伝動できるように設置され、前記延伸軸の左端には左プーリが設置され、前記スライド溝の中にはスプライン軸が設置され、前記スプライン軸の左端には前記伝動チャンバの中に位置している従動プーリが設置され、前記従動プーリと前記左プーリとの間には第二ベルトが伝動できるように設置され、前記伝動装置は動力を前記上手入れ装置と前記下手入れ装置の中まで伝達することができる。
【０００７】
好ましくは、前記上手入れ装置は前記スライド溝の中に設置されているスライダを含み、前記スライダの上端には水平に回転できる回転ブロックが設置され、前記スライダの中には後チャンバが設置され、前記回転ブロックの底端には前記後チャンバの中に位置しているフェースギヤが設置され、前記後チャンバの中には中空軸が設置され、前記中空軸と前記スプライン軸とはスプラインにより連結され、前記中空軸の外壁には主動傘歯車が設置され、前記後チャンバの中には横軸が設置され、前記回転ブロックと前記横軸とが回転できるように連結され、且つ前記横軸を回って回転でき、前記横軸の後端には前記主動傘歯車と噛み合うことができる後傘歯車が設置され、前記回転ブロックの中には前チャンバが設置され、前記横軸の前端には前記前チャンバの中に位置している前傘歯車が設置され、前記前チャンバの中には手入れ軸が設置され、前記手入れ軸の左端には前記前傘歯車と噛み合っている従動傘歯車が設置され、前記手入れ軸の右端には前記スライド溝の中に位置している手入れローラーが設置され、前記中空軸の外壁にはスパーギヤが設置され、前記後チャンバの中にはスライドできるスライド軸が設置され、前記スライド軸の左端には前記フェースギヤと前記スパーギヤとが噛み合っている伝動歯車が設置され、前記スライド軸と前記後チャンバの左壁との間には第一ばねが弾性を持つように設置され、前記横軸の外壁には前記後チャンバの中に位置しているウォームが設置され、前記後チャンバの中には制御軸が設置され、前記制御軸の頂端にはウォームホイールが設置され、前記制御軸の底端にはカムが設置され、前記スプライン軸の外壁には前記伝動チャンバの中に位置している主動歯車が設置され、前記スライド溝の中にはネジロッドが設置され、前記ネジロッドの左端には前記伝動チャンバの中に位置しており、且つ前記主動歯車と噛み合っている従動歯車が設置され、前記ネジロッドが前記スライダとねじ山より連結され、前記上手入れ装置がメガネのレンズの表を手入れすることができる。
【０００８】
好ましくは、前記下手入れ装置は前記手入れチャンバの中に設置されている芯軸を含み、前記芯軸の前端には手入れ盤が設置され、前記中チャンバの中には外軸が設置され、前記外軸の後端には前記左傘歯車と噛み合っている手入れ傘歯車が設置され、前記外軸と前記芯軸とがスプラインにより連結し、前記外軸と前記芯軸との間には第二ばねが弾性を持つように設置され、前記下手入れ装置はメガネのレンズの裏を手入れすることができる。
【０００９】
好ましくは、前記固定機構は前記手入れチャンバの中に設置されている左右対称の固定コットンを含み、ここは左側を例として詳しく説明し、前記固定コットンと前記手入れチャンバの頂壁との間には第三ばねが弾性を持つように設置され、前記蓋の中には固定チャンバが設置され、前記主体の前端には前記固定チャンバの中に位置している定歯車が設置され、前記固定チャンバの中には固定軸が設置され、前記固定軸の左端には動歯車が設置され、前記固定軸の右端にはリールが設置され、前記リールと前記固定コットンとの間は伝動縄により連結され、前記固定機構はメガネを弾性を持つように固定でき、手入れをする時にメガネが移動しないことを保証する。
【発明の効果】
【００１０】
本発明の有益効果は：本発明は構造が簡単で、操作が便利で、手入れが便利であり、当該設備はメガネを収めるとともにメガネを手入れでき、メガネの手入れの時間を節約し、手入れの効率が高く、メガネの使用寿命を延長でき、そのため当該設備は高い使用価値と普及価値がある。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のメガネの手入れメガネケースの全体構成模式図
【図２】図２は図１のＡ−Ａの構成模式図
【図３】図３は図１のＢ−Ｂの構成模式図
【図４】図４は図２のＣ−Ｃの構成模式図
【図５】図５は図３のＤの構成模式図
【図６】図６は図５のＥの構成模式図
【発明を実施するための形態】
【００１３】
以下は上記図示を交えて本発明について詳しく説明する。
【００１４】
図１〜６に示すように、本発明のメガネの手入れメガネケースは、主体１１を含み、前記主体１１の前端には前記主体１１とヒンジより連結されている蓋１５が設置され、前記主体１１の中には手入れチャンバ１２が設置され、前記手入れチャンバ１２の中には左右対称の固定機構１００が設置され、前記手入れチャンバ１２の中には左右対称の下手入れ装置２００が設置され、ここは左側の前記下手入れ装置２００を例として詳しく説明し、前記手入れチャンバ１２の頂壁の中にはスライド溝３４が左右対称的に設置され、ここは左側の前記スライド溝３４を例として詳しく説明し、前記スライド溝３４の中には上手入れ装置３００が設置され、前記手入れチャンバ１２の後壁の中には左右対称の伝動チャンバ５５が設置され、ここは左側の前記伝動チャンバ５５を例として詳しく説明し、前記伝動チャンバ５５の中には伝動装置４００が設置され、前記手入れチャンバ１２の後壁の中には動力チャンバ２６が設置され、前記動力チャンバ２６の中には動力装置５００が設置され、前記動力装置５００は前記動力チャンバ２６の頂壁の中に設置されているモーター２７を含み、前記動力チャンバ２６の中には前記モーター２７と動力が伝達できるように連結されている動力軸２５が設置され、前記動力軸２５の底端には動傘歯車２４が設置され、前記動力装置５００は前記伝動装置４００により前記上手入れ装置３００と前記下手入れ装置２００を連動させて回転させることができ、メガネを手入れする。
【００１５】
有益的には、左側の前記伝動装置４００は前記伝動チャンバ５５の中に設置されている伝動軸１７を含み、前記伝動軸１７の左端には前記伝動チャンバ５５の中で回転できる主動プーリ１６を含み、前記伝動チャンバ５５の右壁の中には中チャンバ１８が設置され、前記伝動軸１７の右端には前記動力チャンバ２６の中に位置しており、且つ前記動傘歯車２６と噛み合っている右傘歯車３３が設置され、前記伝動軸１７の外壁には前記中チャンバ１８の中に位置している左傘歯車９７が設置され、前記伝動チャンバ５５の中には延伸軸９９が設置され、前記延伸軸９９の右端には右プーリ４１が設置され、前記右プーリ４１と前記主動プーリ１６との間には第一ベルト４２が伝動できるように設置され、前記延伸軸９９の左端には左プーリ４０が設置され、前記スライド溝３４の中にはスプライン軸３５が設置され、前記スプライン軸３５の左端には前記伝動チャンバ５５の中に位置している従動プーリ３８が設置され、前記従動プーリ３８と前記左プーリ４０との間には第二ベルト３９が伝動できるように設置され、前記伝動装置４００は動力を前記上手入れ装置３００と前記下手入れ装置２００の中まで伝達することができる。
【００１６】
有益的には、前記上手入れ装置３００は前記スライド溝３４の中に設置されているスライダ３７を含み、前記スライダ３７の上端には水平に回転できる回転ブロック３６が設置され、前記スライダ３７の中には後チャンバ４９が設置され、前記回転ブロック３６の底端には前記後チャンバ４９の中に位置しているフェースギヤ６１が設置され、前記後チャンバ４９の中には中空軸５１が設置され、前記中空軸５１と前記スプライン軸３５とはスプラインにより連結され、前記中空軸５１の外壁には主動傘歯車５２が設置され、前記後チャンバ４９の中には横軸４７が設置され、前記回転ブロック３６と前記横軸４７とが回転できるように連結され、且つ前記横軸４７を回って回転でき、前記横軸４７の後端には前記主動傘歯車５２と噛み合うことができる後傘歯車５０が設置され、前記回転ブロック３６の中には前チャンバ４３が設置され、前記横軸４７の前端には前記前チャンバ４３の中に位置している前傘歯車４４が設置され、前記前チャンバ４３の中には手入れ軸４６が設置され、前記手入れ軸４６の左端には前記前傘歯車４４と噛み合っている従動傘歯車４５が設置され、前記手入れ軸４６の右端には前記スライド溝３４の中に位置している手入れローラー３３が設置され、前記中空軸５１の外壁にはスパーギヤ５６が設置され、前記後チャンバ４９の中にはスライドできるスライド軸５９が設置され、前記スライド軸５９の左端には前記フェースギヤ６１と前記スパーギヤ５６とが噛み合っている伝動歯車５８が設置され、前記スライド軸５９と前記後チャンバ４９の左壁との間には第一ばね６０が弾性を持つように設置され、前記横軸４７の外壁には前記後チャンバ４９の中に位置しているウォーム４８が設置され、前記後チャンバ４９の中には制御軸６３が設置され、前記制御軸６３の頂端にはウォームホイール６４が設置され、前記制御軸６３の底端にはカム６２が設置され、前記スプライン軸３５の外壁には前記伝動チャンバ５５の中に位置している主動歯車９８が設置され、前記スライド溝３４の中にはネジロッド５３が設置され、前記ネジロッド５３の左端には前記伝動チャンバ５５の中に位置しており、且つ前記主動歯車９８と噛み合っている従動歯車５４が設置され、前記ネジロッド５３が前記スライダ３７とねじ山より連結され、前記上手入れ装置３００がメガネのレンズの表を手入れすることができる。
【００１７】
有益的には、前記下手入れ装置２００は前記手入れチャンバ１２の中に設置されている芯軸２１を含み、前記芯軸２１の前端には手入れ盤２２が設置され、前記中チャンバ１８の中には外軸９６が設置され、前記外軸９６の後端には前記左傘歯車９７と噛み合っている手入れ傘歯車１９が設置され、前記外軸９６と前記芯軸２１とがスプラインにより連結し、前記外軸９６と前記芯軸２１との間には第二ばね２０が弾性を持つように設置され、前記下手入れ装置２００はメガネのレンズの裏を手入れすることができる。
【００１８】
有益的には、前記固定機構１００は前記手入れチャンバ１２の中に設置されている左右対称の固定コットン１３を含み、ここは左側を例として詳しく説明し、前記固定コットン１３と前記手入れチャンバ１２の頂壁との間には第三ばね１４が弾性を持つように設置され、前記蓋１５の中には固定チャンバ２８が設置され、前記主体１１の前端には前記固定チャンバ２８の中に位置している定歯車３２が設置され、前記固定チャンバ２８の中には固定軸３０が設置され、前記固定軸３０の左端には動歯車２９が設置され、前記固定軸３０の右端にはリール３１が設置され、前記リール３１と前記固定コットン１３との間は伝動縄９５により連結され、前記固定機構１００はメガネを弾性を持つように固定でき、手入れをする時にメガネが移動しないことを保証する。
【００１９】
当該設備を使用する時、人がメガネを設備の中に入れ、主体１１と合わせるまで蓋１５を回転させ、同時に定歯車３２は動歯車２９と固定軸３０によりリール３１を連動させて回転させ、更に伝動縄９５により固定コットン１３を連動させて後方へスライドさせ、メガネを固定し、同時に、モーター２７が起動して動力軸２５により動傘歯車２４を連動させて回転させ、更に右傘歯車２３と伝動軸１７により左傘歯車９７を連動させて回転させ、同時に、伝動軸１７は主動プーリ１６と、右プーリ４１と、延伸軸９９と、左プーリ４０と、従動プーリ３８とによりスプライン軸３５を連動させて回転させ、更に中空軸５１と、スパーギヤ５６と、伝動歯車５８と、フェースギヤ６１とにより回転ブロック３６を連動させて回転させ、同時に、中空軸５１は主動傘歯車５２と、後傘歯車５０と、横軸４７と、ウォーム４８と、ウォームホイール６４と、制御軸６３とによりカム６２を連動させて回転させ、回転ブロック３６が九十度回転する時、カム６２とスライド軸５９とが接触してスライド軸５９により伝動歯車５８を連動させて左方へスライドさせ、スパーギヤ５６から離脱し、同時に横軸４７は前傘歯車４４と、従動傘歯車４５と、手入れ軸４６とにより手入れロールー５９を連動させて回転させ、同時に、スプライン軸５５は主動歯車９８と、従動歯車５４と、ネジロッド５３とによりスライダ３７を連動させて右方へスライドさせ、更に回転ブロック３６により手入れロールーを連動させて右方へスライドさせ、メガネのレンズの表を手入れし、同時に、伝動軸１７は左傘歯車９７と、手入れ傘歯車１９と、外軸９６と、芯軸２１とにより手入れ盤２２を連動させて回転させ、メガネのレンズの裏を手入れし、スライダ３７がスライド溝３４の一番右側までスライドする時、モーター２７が逆方向へ回転し、更にネジロッド５３を連動させて逆方向へ回転させ、更にスライダ３７を連動させて左方へスライドさせ、同時に、中空軸５１と、スパーギヤ５６と、伝動歯車５８と、フェースギヤ６１とにより回転ブロック３６を連動させて逆方向へ回転させ、スライダ３７がスライド溝３４の一番左側までスライドする時、モーター２７が止まる。
【００２０】
本発明の有益効果は：本発明は構造が簡単で、操作が便利で、手入れが便利であり、当該設備はメガネを収めるとともにメガネを手入れでき、メガネの手入れの時間を節約し、手入れの効率が高く、メガネの使用寿命を延長でき、そのため当該設備は高い使用価値と普及価値がある。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177209.tif 000003
【図２】
2020177209.tif 000004
【図３】
2020177209.tif 000005
【図４】
2020177209.tif 000006
【図５】
2020177209.tif 000007
【図６】
2020177209.tif 000008
【手続補正書】
【提出日】令和2年5月6日(2020.5.6)
【手続補正１】
【補正対象書類名】特許請求の範囲
【補正対象項目名】全文
【補正方法】変更
【補正の内容】
【特許請求の範囲】
【請求項１】
正面視で、主体を含み、前記主体の前端には前記主体とヒンジより連結されている蓋が設置され、前記主体の中には手入れチャンバが設置され、前記手入れチャンバの中には前記手入れチャンバに対し左右対称となる固定機構が設置され、前記手入れチャンバの中には前記手入れチャンバに対し左右対称となる下手入れ装置が設置され、前記手入れチャンバの頂壁の中にはスライド溝が前記手入れチャンバに対し左右対称に設置され、左側の前記スライド溝において、前記スライド溝の中には上手入れ装置が設置され、前記手入れチャンバの後壁の中には前記手入れチャンバに対し左右対称となる伝動チャンバが設置され、左側の前記伝動チャンバにおいて、前記伝動チャンバの中には伝動装置が設置され、前記手入れチャンバの後壁の中には動力チャンバが設置され、前記動力チャンバの中には動力装置が設置され、前記動力装置は前記動力チャンバの頂壁の中に設置されているモーターを含み、前記動力チャンバの中には前記モーターと動力が伝達できるように連結されている動力軸が設置され、前記動力軸の底端には動傘歯車が設置され、前記動力装置は前記伝動装置により前記上手入れ装置と前記下手入れ装置を連動させて回転させることができ、メガネを手入れすることを実現し、
左側の前記伝動装置は前記伝動チャンバの中に設置されている伝動軸を含み、前記伝動軸の左端には前記伝動チャンバの中で回転できる主動プーリを含み、前記伝動チャンバの右壁の中には中チャンバが設置され、前記伝動軸の右端には前記動力チャンバの中に位置しており、且つ前記動傘歯車と噛み合っている右傘歯車が設置され、前記伝動軸の外壁には前記中チャンバの中に位置している左傘歯車が設置され、前記伝動チャンバの中には延伸軸が設置され、前記延伸軸の右端には右プーリが設置され、前記右プーリと前記主動プーリとの間には第一ベルトが伝動できるように設置され、前記延伸軸の左端には左プーリが設置され、前記スライド溝の中にはスプライン軸が設置され、前記スプライン軸の左端には前記伝動チャンバの中に位置している従動プーリが設置され、前記従動プーリと前記左プーリとの間には第二ベルトが伝動できるように設置され、前記伝動装置は動力を前記上手入れ装置と前記下手入れ装置の中まで伝達することができ、
前記上手入れ装置は前記スライド溝の中に設置されているスライダを含み、前記スライダの上端には水平に回転できる回転ブロックが設置され、前記スライダの中には後チャンバが設置され、前記回転ブロックの底端には前記後チャンバの中に位置しているフェースギヤが設置され、前記後チャンバの中には中空軸が設置され、前記中空軸と前記スプライン軸とはスプラインにより連結され、前記中空軸の外壁には主動傘歯車が設置され、前記後チャンバの中には横軸が設置され、前記回転ブロックと前記横軸とが回転できるように連結され、且つ前記横軸を回って回転でき、前記横軸の後端には前記主動傘歯車と噛み合うことができる後傘歯車が設置され、前記回転ブロックの中には前チャンバが設置され、前記横軸の前端には前記前チャンバの中に位置している前傘歯車が設置され、前記前チャンバの中には手入れ軸が設置され、前記手入れ軸の左端には前記前傘歯車と噛み合っている従動傘歯車が設置され、前記手入れ軸の右端には前記スライド溝の中に位置している手入れローラーが設置され、前記中空軸の外壁にはスパーギヤが設置され、前記後チャンバの中にはスライドできるスライド軸が設置され、前記スライド軸の左端には前記フェースギヤと前記スパーギヤとが噛み合っている伝動歯車が設置され、前記スライド軸と前記後チャンバの左壁との間には第一ばねが弾性を持つように設置され、前記横軸の外壁には前記後チャンバの中に位置しているウォームが設置され、前記後チャンバの中には制御軸が設置され、前記制御軸の頂端にはウォームホイールが設置され、前記制御軸の底端にはカムが設置され、前記スプライン軸の外壁には前記伝動チャンバの中に位置している主動歯車が設置され、前記スライド溝の中にはネジロッドが設置され、前記ネジロッドの左端には前記伝動チャンバの中に位置しており、且つ前記主動歯車と噛み合っている従動歯車が設置され、前記ネジロッドが前記スライダとねじ山より連結され、前記上手入れ装置がメガネのレンズの表を手入れすることができ、
前記下手入れ装置は前記手入れチャンバの中に設置されている芯軸を含み、前記芯軸の前端には手入れ盤が設置され、前記中チャンバの中には外軸が設置され、前記外軸の後端には前記左傘歯車と噛み合っている手入れ傘歯車が設置され、前記外軸と前記芯軸とがスプラインにより連結し、前記外軸と前記芯軸との間には第二ばねが弾性を持つように設置され、前記下手入れ装置はメガネのレンズの裏を手入れすることができ、
前記固定機構は前記手入れチャンバの中に設置されている前記手入れチャンバに対し左右対称の固定コットンを含み、左側の前記固定コットンにおいて、前記固定コットンと前記手入れチャンバの頂壁との間には第三ばねが弾性を持つように設置され、前記蓋の中には固定チャンバが設置され、前記主体の前端には前記固定チャンバの中に位置している定歯車が設置され、前記固定チャンバの中には固定軸が設置され、前記固定軸の左端には動歯車が設置され、前記固定軸の右端にはリールが設置され、前記リールと前記固定コットンとの間は伝動縄により連結され、前記固定機構はメガネを弾性を持つように固定でき、手入れをする時にメガネが移動しないことを保証することを特徴とするメガネの手入れメガネケース。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的にはメガネの手入れメガネケースである。
【背景技術】
【０００２】
社会で視力が落ちる人はますます多くなり、そのためメガネに対する要求も増え、しかしメガネをよく手入れする必要があり、メガネの使用機能を保ち、メガネの手入れがよく人工的に行われ、操作が複雑で時間も体力もかかり、そのため、本発明は自動的にメガネを手入れできるメガネケースを設計することを目的とする。
【先行技術文献】
【特許文献】
【０００３】
【特許文献１】中国特許出願公開第１０２８７１３２０号明細書
【発明の概要】
【発明が解決しようとする課題】
【０００４】
本発明はメガネの手入れメガネケースを提供し、従来技術における上記欠点を解消することを目的とする。
【課題を解決するための手段】
【０００５】
本発明のメガネの手入れメガネケースは、主体を含み、前記主体の前端には前記主体とヒンジより連結されている蓋が設置され、前記主体の中には手入れチャンバが設置され、前記手入れチャンバの中には前記手入れチャンバに対し左右対称となる固定機構が設置され、前記手入れチャンバの中には前記手入れチャンバに対し左右対称となる下手入れ装置が設置され、前記手入れチャンバの頂壁の中にはスライド溝が前記手入れチャンバに対し左右対称に設置され、左側の前記スライド溝において、前記スライド溝の中には上手入れ装置が設置され、前記手入れチャンバの後壁の中には前記手入れチャンバに対し左右対称となる伝動チャンバが設置され、左側の前記伝動チャンバにおいて、前記伝動チャンバの中には伝動装置が設置され、前記手入れチャンバの後壁の中には動力チャンバが設置され、前記動力チャンバの中には動力装置が設置され、前記動力装置は前記動力チャンバの頂壁の中に設置されているモーターを含み、前記動力チャンバの中には前記モーターと動力が伝達できるように連結されている動力軸が設置され、前記動力軸の底端には動傘歯車が設置され、前記動力装置は前記伝動装置により前記上手入れ装置と前記下手入れ装置を連動させて回転させることができ、メガネを手入れする。
【０００６】
好ましくは、左側の前記伝動装置は前記伝動チャンバの中に設置されている伝動軸を含み、前記伝動軸の左端には前記伝動チャンバの中で回転できる主動プーリを含み、前記伝動チャンバの右壁の中には中チャンバが設置され、前記伝動軸の右端には前記動力チャンバの中に位置しており、且つ前記動傘歯車と噛み合っている右傘歯車が設置され、前記伝動軸の外壁には前記中チャンバの中に位置している左傘歯車が設置され、前記伝動チャンバの中には延伸軸が設置され、前記延伸軸の右端には右プーリが設置され、前記右プーリと前記主動プーリとの間には第一ベルトが伝動できるように設置され、前記延伸軸の左端には左プーリが設置され、前記スライド溝の中にはスプライン軸が設置され、前記スプライン軸の左端には前記伝動チャンバの中に位置している従動プーリが設置され、前記従動プーリと前記左プーリとの間には第二ベルトが伝動できるように設置され、前記伝動装置は動力を前記上手入れ装置と前記下手入れ装置の中まで伝達することができる。
【０００７】
好ましくは、前記上手入れ装置は前記スライド溝の中に設置されているスライダを含み、前記スライダの上端には水平に回転できる回転ブロックが設置され、前記スライダの中には後チャンバが設置され、前記回転ブロックの底端には前記後チャンバの中に位置しているフェースギヤが設置され、前記後チャンバの中には中空軸が設置され、前記中空軸と前記スプライン軸とはスプラインにより連結され、前記中空軸の外壁には主動傘歯車が設置され、前記後チャンバの中には横軸が設置され、前記回転ブロックと前記横軸とが回転できるように連結され、且つ前記横軸を回って回転でき、前記横軸の後端には前記主動傘歯車と噛み合うことができる後傘歯車が設置され、前記回転ブロックの中には前チャンバが設置され、前記横軸の前端には前記前チャンバの中に位置している前傘歯車が設置され、前記前チャンバの中には手入れ軸が設置され、前記手入れ軸の左端には前記前傘歯車と噛み合っている従動傘歯車が設置され、前記手入れ軸の右端には前記スライド溝の中に位置している手入れローラーが設置され、前記中空軸の外壁にはスパーギヤが設置され、前記後チャンバの中にはスライドできるスライド軸が設置され、前記スライド軸の左端には前記フェースギヤと前記スパーギヤとが噛み合っている伝動歯車が設置され、前記スライド軸と前記後チャンバの左壁との間には第一ばねが弾性を持つように設置され、前記横軸の外壁には前記後チャンバの中に位置しているウォームが設置され、前記後チャンバの中には制御軸が設置され、前記制御軸の頂端にはウォームホイールが設置され、前記制御軸の底端にはカムが設置され、前記スプライン軸の外壁には前記伝動チャンバの中に位置している主動歯車が設置され、前記スライド溝の中にはネジロッドが設置され、前記ネジロッドの左端には前記伝動チャンバの中に位置しており、且つ前記主動歯車と噛み合っている従動歯車が設置され、前記ネジロッドが前記スライダとねじ山より連結され、前記上手入れ装置がメガネのレンズの表を手入れすることができる。
【０００８】
好ましくは、前記下手入れ装置は前記手入れチャンバの中に設置されている芯軸を含み、前記芯軸の前端には手入れ盤が設置され、前記中チャンバの中には外軸が設置され、前記外軸の後端には前記左傘歯車と噛み合っている手入れ傘歯車が設置され、前記外軸と前記芯軸とがスプラインにより連結し、前記外軸と前記芯軸との間には第二ばねが弾性を持つように設置され、前記下手入れ装置はメガネのレンズの裏を手入れすることができる。
【０００９】
好ましくは、前記固定機構は前記手入れチャンバの中に設置されている前記手入れチャンバに対し左右対称の固定コットンを含み、左側の前記固定コットンにおいて、前記固定コットンと前記手入れチャンバの頂壁との間には第三ばねが弾性を持つように設置され、前記蓋の中には固定チャンバが設置され、前記主体の前端には前記固定チャンバの中に位置している定歯車が設置され、前記固定チャンバの中には固定軸が設置され、前記固定軸の左端には動歯車が設置され、前記固定軸の右端にはリールが設置され、前記リールと前記固定コットンとの間は伝動縄により連結され、前記固定機構はメガネを弾性を持つように固定でき、手入れをする時にメガネが移動しないことを保証する。
【発明の効果】
【００１０】
本発明の有益効果は：本発明は構造が簡単で、操作が便利で、手入れが便利であり、当該設備はメガネを収めるとともにメガネを手入れでき、メガネの手入れの時間を節約し、手入れの効率が高く、メガネの使用寿命を延長でき、そのため当該設備は高い使用価値と普及価値がある。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のメガネの手入れメガネケースの全体構成模式図
【図２】図２は図１のＡ−Ａの構成模式図
【図３】図３は図１のＢ−Ｂの構成模式図
【図４】図４は図２のＣ−Ｃの構成模式図
【図５】図５は図３のＤの構成模式図
【図６】図６は図５のＥの構成模式図
【発明を実施するための形態】
【００１３】
以下は上記図示を交えて本発明について詳しく説明する。
【００１４】
図１〜６に示すように、本発明のメガネの手入れメガネケースは、主体１１を含み、前記主体１１の前端には前記主体１１とヒンジより連結されている蓋１５が設置され、前記主体１１の中には手入れチャンバ１２が設置され、前記手入れチャンバ１２の中には前記手入れチャンバ１２に対し左右対称となる固定機構１００が設置され、前記手入れチャンバ１２の中には前記手入れチャンバ１２に対し左右対称となる下手入れ装置２００が設置され、前記手入れチャンバ１２の頂壁の中にはスライド溝３４が前記手入れチャンバ１２に対し左右対称に設置され、左側の前記スライド溝３４において、前記スライド溝３４の中には上手入れ装置３００が設置され、前記手入れチャンバ１２の後壁の中には前記手入れチャンバ１２に対し左右対称となる伝動チャンバ５５が設置され、左側の前記伝動チャンバ５５において、前記伝動チャンバ５５の中には伝動装置４００が設置され、前記手入れチャンバ１２の後壁の中には動力チャンバ２６が設置され、前記動力チャンバ２６の中には動力装置５００が設置され、前記動力装置５００は前記動力チャンバ２６の頂壁の中に設置されているモーター２７を含み、前記動力チャンバ２６の中には前記モーター２７と動力が伝達できるように連結されている動力軸２５が設置され、前記動力軸２５の底端には動傘歯車２４が設置され、前記動力装置５００は前記伝動装置４００により前記上手入れ装置３００と前記下手入れ装置２００を連動させて回転させることができ、メガネを手入れする。
【００１５】
有益的には、左側の前記伝動装置４００は前記伝動チャンバ５５の中に設置されている伝動軸１７を含み、前記伝動軸１７の左端には前記伝動チャンバ５５の中で回転できる主動プーリ１６を含み、前記伝動チャンバ５５の右壁の中には中チャンバ１８が設置され、前記伝動軸１７の右端には前記動力チャンバ２６の中に位置しており、且つ前記動傘歯車２６と噛み合っている右傘歯車３３が設置され、前記伝動軸１７の外壁には前記中チャンバ１８の中に位置している左傘歯車９７が設置され、前記伝動チャンバ５５の中には延伸軸９９が設置され、前記延伸軸９９の右端には右プーリ４１が設置され、前記右プーリ４１と前記主動プーリ１６との間には第一ベルト４２が伝動できるように設置され、前記延伸軸９９の左端には左プーリ４０が設置され、前記スライド溝３４の中にはスプライン軸３５が設置され、前記スプライン軸３５の左端には前記伝動チャンバ５５の中に位置している従動プーリ３８が設置され、前記従動プーリ３８と前記左プーリ４０との間には第二ベルト３９が伝動できるように設置され、前記伝動装置４００は動力を前記上手入れ装置３００と前記下手入れ装置２００の中まで伝達することができる。
【００１６】
有益的には、前記上手入れ装置３００は前記スライド溝３４の中に設置されているスライダ３７を含み、前記スライダ３７の上端には水平に回転できる回転ブロック３６が設置され、前記スライダ３７の中には後チャンバ４９が設置され、前記回転ブロック３６の底端には前記後チャンバ４９の中に位置しているフェースギヤ６１が設置され、前記後チャンバ４９の中には中空軸５１が設置され、前記中空軸５１と前記スプライン軸３５とはスプラインにより連結され、前記中空軸５１の外壁には主動傘歯車５２が設置され、前記後チャンバ４９の中には横軸４７が設置され、前記回転ブロック３６と前記横軸４７とが回転できるように連結され、且つ前記横軸４７を回って回転でき、前記横軸４７の後端には前記主動傘歯車５２と噛み合うことができる後傘歯車５０が設置され、前記回転ブロック３６の中には前チャンバ４３が設置され、前記横軸４７の前端には前記前チャンバ４３の中に位置している前傘歯車４４が設置され、前記前チャンバ４３の中には手入れ軸４６が設置され、前記手入れ軸４６の左端には前記前傘歯車４４と噛み合っている従動傘歯車４５が設置され、前記手入れ軸４６の右端には前記スライド溝３４の中に位置している手入れローラー３３が設置され、前記中空軸５１の外壁にはスパーギヤ５６が設置され、前記後チャンバ４９の中にはスライドできるスライド軸５９が設置され、前記スライド軸５９の左端には前記フェースギヤ６１と前記スパーギヤ５６とが噛み合っている伝動歯車５８が設置され、前記スライド軸５９と前記後チャンバ４９の左壁との間には第一ばね６０が弾性を持つように設置され、前記横軸４７の外壁には前記後チャンバ４９の中に位置しているウォーム４８が設置され、前記後チャンバ４９の中には制御軸６３が設置され、前記制御軸６３の頂端にはウォームホイール６４が設置され、前記制御軸６３の底端にはカム６２が設置され、前記スプライン軸３５の外壁には前記伝動チャンバ５５の中に位置している主動歯車９８が設置され、前記スライド溝３４の中にはネジロッド５３が設置され、前記ネジロッド５３の左端には前記伝動チャンバ５５の中に位置しており、且つ前記主動歯車９８と噛み合っている従動歯車５４が設置され、前記ネジロッド５３が前記スライダ３７とねじ山より連結され、前記上手入れ装置３００がメガネのレンズの表を手入れすることができる。
【００１７】
有益的には、前記下手入れ装置２００は前記手入れチャンバ１２の中に設置されている芯軸２１を含み、前記芯軸２１の前端には手入れ盤２２が設置され、前記中チャンバ１８の中には外軸９６が設置され、前記外軸９６の後端には前記左傘歯車９７と噛み合っている手入れ傘歯車１９が設置され、前記外軸９６と前記芯軸２１とがスプラインにより連結し、前記外軸９６と前記芯軸２１との間には第二ばね２０が弾性を持つように設置され、前記下手入れ装置２００はメガネのレンズの裏を手入れすることができる。
【００１８】
有益的には、前記固定機構１００は前記手入れチャンバ１２の中に設置されている前記手入れチャンバ１２に対し左右対称の固定コットン１３を含み、左側の前記固定コットン１３において、前記固定コットン１３と前記手入れチャンバ１２の頂壁との間には第三ばね１４が弾性を持つように設置され、前記蓋１５の中には固定チャンバ２８が設置され、前記主体１１の前端には前記固定チャンバ２８の中に位置している定歯車３２が設置され、前記固定チャンバ２８の中には固定軸３０が設置され、前記固定軸３０の左端には動歯車２９が設置され、前記固定軸３０の右端にはリール３１が設置され、前記リール３１と前記固定コットン１３との間は伝動縄９５により連結され、前記固定機構１００はメガネを弾性を持つように固定でき、手入れをする時にメガネが移動しないことを保証する。
【００１９】
当該設備を使用する時、人がメガネを設備の中に入れ、主体１１と合わせるまで蓋１５を回転させ、同時に定歯車３２は動歯車２９と固定軸３０によりリール３１を連動させて回転させ、更に伝動縄９５により固定コットン１３を連動させて後方へスライドさせ、メガネを固定し、同時に、モーター２７が起動して動力軸２５により動傘歯車２４を連動させて回転させ、更に右傘歯車２３と伝動軸１７により左傘歯車９７を連動させて回転させ、同時に、伝動軸１７は主動プーリ１６と、右プーリ４１と、延伸軸９９と、左プーリ４０と、従動プーリ３８とによりスプライン軸３５を連動させて回転させ、更に中空軸５１と、スパーギヤ５６と、伝動歯車５８と、フェースギヤ６１とにより回転ブロック３６を連動させて回転させ、同時に、中空軸５１は主動傘歯車５２と、後傘歯車５０と、横軸４７と、ウォーム４８と、ウォームホイール６４と、制御軸６３とによりカム６２を連動させて回転させ、回転ブロック３６が九十度回転する時、カム６２とスライド軸５９とが接触してスライド軸５９により伝動歯車５８を連動させて左方へスライドさせ、スパーギヤ５６から離脱し、同時に横軸４７は前傘歯車４４と、従動傘歯車４５と、手入れ軸４６とにより手入れロールー５９を連動させて回転させ、同時に、スプライン軸５５は主動歯車９８と、従動歯車５４と、ネジロッド５３とによりスライダ３７を連動させて右方へスライドさせ、更に回転ブロック３６により手入れロールーを連動させて右方へスライドさせ、メガネのレンズの表を手入れし、同時に、伝動軸１７は左傘歯車９７と、手入れ傘歯車１９と、外軸９６と、芯軸２１とにより手入れ盤２２を連動させて回転させ、メガネのレンズの裏を手入れし、スライダ３７がスライド溝３４の一番右側までスライドする時、モーター２７が逆方向へ回転し、更にネジロッド５３を連動させて逆方向へ回転させ、更にスライダ３７を連動させて左方へスライドさせ、同時に、中空軸５１と、スパーギヤ５６と、伝動歯車５８と、フェースギヤ６１とにより回転ブロック３６を連動させて逆方向へ回転させ、スライダ３７がスライド溝３４の一番左側までスライドする時、モーター２７が止まる。
【００２０】
本発明の有益効果は：本発明は構造が簡単で、操作が便利で、手入れが便利であり、当該設備はメガネを収めるとともにメガネを手入れでき、メガネの手入れの時間を節約し、手入れの効率が高く、メガネの使用寿命を延長でき、そのため当該設備は高い使用価値と普及価値がある。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。